(57)【要約】【課題】電子メール通信手段とＩＰ網を利用した通信手段の双方を備える通信端末装置において、相手装置のＩＰ電話番号を把握していない場合に、相手装置のＩＰ電話番号を取得するための所定の処理動作を行って呼制御プロトコルを利用したデータ伝送を可能とする通信端末装置を提供すること。【解決手段】呼制御プロトコルによって、ＩＰ電話番号により指定した相手装置とコネクションを確立するコネクション確立手段と、前記コネクション上で前記相手装置へＩＰ電話番号を含む電子メールを送信する送信手段と、前記コネクション確立手段によるコネクションの確立が成功したか否かを判断する判断手段と、該判断手段による判断結果に基づいて実行すべき処理を決定する手段を備える通信端末装置１、１８。【選択図】      図３
2004221945.tif 000002
【特許請求の範囲】
【請求項１】
呼制御プロトコルによって、ＩＰ電話番号により指定した相手装置とコネクションを確立するコネクション確立手段と、前記コネクション上で前記相手装置へ電子メールを送信する送信手段と、前記コネクション確立手段によるコネクションの確立が成功したか否かを判断する判断手段と、該判断手段による判断結果に基づいて実行すべき処理を決定する手段と、を備えることを特徴とする通信端末装置。
【請求項２】
前記判断手段によりコネクションの確立に失敗したと判断した場合に、所定のメールアドレス宛てに前記電子メールを送信する手段を備えることを特徴とする請求項１記載の通信端末装置。
【請求項３】
ＩＰ電話番号とメールアドレスとを関連付けて記憶する記憶手段を備え、前記所定のメールアドレスは、前記記憶手段が前記相手装置のＩＰ電話番号に関連付けて記憶しているメールアドレスであることを特徴とする請求項２記載の通信端末装置。
【請求項４】
前記電子メールの送信処理に含めて自装置のＩＰ電話番号を送信するＩＰ電話番号送信手段を備えることを特徴とする請求項１乃至３の何れか１に記載の通信端末装置。
【請求項５】
呼制御プロトコルによって、自装置を呼び出す発信元装置とコネクションを確立する第１のコネクション確立手段と、前記コネクション上で前記発信元装置から送信されてきた電子メールを受信する受信手段と、を備えることを特徴とする通信端末装置。
【請求項６】
呼制御プロトコルによって、ＩＰ電話番号により指定した相手装置とコネクションを確立する第２のコネクション確立手段と、前記受信手段が受信した電子メールからＩＰ電話番号を抽出するＩＰ電話番号抽出手段と、を備え、前記第２のコネクション確立手段は、ＩＰ電話番号抽出手段が抽出したＩＰ電話番号により指定した前記発信元装置とコネクションを確立し、該コネクション上で、前記発信元装置に対して前記受信手段が受信した前記電子メールについての受領確認の電子メールを送信することを特徴とする請求項５記載の通信端末装置。
【請求項７】
前記受信手段が受信した電子メールからＩＰ電話番号を抽出するＩＰ電話番号抽出手段と、該手段が抽出したＩＰ電話番号を記憶する記憶手段と、を備えることを特徴とする請求項５記載の通信端末装置。
【発明の詳細な説明】
【０００１】
【発明の属する技術分野】
本発明は、ＩＰ（インターネットプロトコル）網をデータの伝送路として用い、画像データ、テキストデータ等の伝送を行う通信端末装置に関する。
【０００２】
【従来の技術】
近年、ＩＰ網を利用して電話を行うＩＰ電話通信や、同じくＩＰ網を利用してファクシミリを行うＩＰファクシミリ通信が普及しつつある。さらにこれら複数のＩＰ網による通信機能と従来から利用されている電子メール通信機能、Ｇ３ファクシミリ通信等が１つの装置に統合された、いわゆる複合機も開発されている。ＩＰ網による通信機能としては、例えば特許文献１に開示されているように、ＩＰ電話通信機能とＩＴＵ−Ｔ勧告Ｔ．３８に準拠したＩＰファクシミリ通信機能とを具備し、ＩＰ電話通信とＩＰファクシミリ通信による送信及び受信を同時に行うことができる通信端末装置がある。
【０００３】
ＩＰ電話通信やＩＰファクシミリ通信が行われる際には、相手の呼び出しや通話の管理など、一般公衆網で交換機が担う処理制御に相当する部分は、呼制御プロトコルによって行われる。呼制御プロトコルにはＨ．３２３とＳＩＰ（Ｓｅｓｓｉｏｎ  Ｉｎｉｔｉａｔｉｏｎ  Ｐｒｏｔｏｃｏｌ；ＲＦＣ２５４３）が多く利用されている。特にＳＩＰは、セッションの確立、変更、終了を行うだけで、セッションの内容には関知しない呼制御プロトコルであるため、上記したＩＰ電話通信やＩＰファクシミリ通信に限らず、ＳＭＴＰ（Ｓｉｍｐｌｅ  Ｍａｉｌ  Ｔｒａｎｓｆｅｒ  Ｐｒｏｔｏｃｏｌ）、ＨＴＴＰ（Ｈｙｐｅｒｔｅｘｔ  Ｔｒａｎｓｆｅｒ  Ｐｒｏｔｏｃｏｌ）など種々の通信手順を、発信側と着信側の間で確立されたコネクション上において実行することが可能である。したがって、ＳＩＰによれば、発信側と受信側の通信端末装置は、相互に直接、リアルタイムによるデータのやり取りを行うことができるという利点がある。
【０００４】
【特許文献１】
特開２００２−１０１２５６号公報（第３−５頁、第２図）
【０００５】
【発明が解決しようとする課題】
ところが、呼制御プロトコルによって相手装置とコネクションを確立した上でのデータ通信には、相手を特定するための情報としてＩＰ電話番号が必要であり、相手装置のファクシミリ番号やメールアドレスなどを記憶していても、ＩＰ電話番号を把握していなければ上記した呼制御プロトコル上でのリアルタイムなデータ通信を行うことはできない。
【０００６】
本発明は、かかる課題に鑑みてなされたものであり、電子メール通信手段とＩＰ網を利用した通信手段の双方を備える通信端末装置において、相手装置のＩＰ電話番号を把握していない場合に、相手装置のＩＰ電話番号を取得するための所定の処理動作を行って呼制御プロトコルを利用したデータ伝送を可能とする通信端末装置を提供することを目的とする。
【０００７】
【課題を解決するための手段】
上記目的を達成するために、請求項１記載の通信端末装置は、呼制御プロトコルによって、ＩＰ電話番号により指定した相手装置とコネクションを確立するコネクション確立手段と、前記コネクション上で前記相手装置へ電子メールを送信する送信手段と、前記コネクション確立手段によるコネクションの確立が成功したか否かを判断する判断手段と、該判断手段による判断結果に基づいて実行すべき処理を決定する手段と、を備えることを特徴としている。
【０００８】
請求項２記載の通信端末装置は、請求項１記載の通信端末装置において、前記判断手段によりコネクションの確立に失敗したと判断した場合に、所定のメールアドレス宛てに前記電子メールを送信する手段を備えることを特徴としている。
【０００９】
請求項３記載の通信端末装置は、請求項２記載の通信端末装置において、ＩＰ電話番号とメールアドレスとを関連付けて記憶する記憶手段を備え、前記所定のメールアドレスは、前記記憶手段が前記相手装置のＩＰ電話番号に関連付けて記憶しているメールアドレスであることを特徴としている。
【００１０】
請求項４記載の通信端末装置は、請求項１乃至３の何れか１に記載の通信端末装置において、前記電子メールの送信処理に含めて自装置のＩＰ電話番号を送信するＩＰ電話番号送信手段を備えることを特徴としている。
【００１１】
請求項５記載の通信端末装置は、呼制御プロトコルによって、自装置を呼び出す発信元装置とコネクションを確立する第１のコネクション確立手段と、前記コネクション上で前記発信元装置から送信されてきた電子メールを受信する受信手段と、を備えることを特徴としている。
【００１２】
請求項６記載の通信端末装置は、請求項５記載の通信端末装置において、呼制御プロトコルによって、ＩＰ電話番号により指定した相手装置とコネクションを確立する第２のコネクション確立手段と、前記受信手段が受信した電子メールからＩＰ電話番号を抽出するＩＰ電話番号抽出手段と、を備え、前記第２のコネクション確立手段は、ＩＰ電話番号抽出手段が抽出したＩＰ電話番号により指定した前記発信元装置とコネクションを確立し、該コネクション上で、前記発信元装置に対して前記受信手段が受信した前記電子メールについての受領確認の電子メールを送信することを特徴としている。
【００１３】
請求項７記載の通信端末装置は、請求項５記載の通信端末装置において、前記受信手段が受信した電子メールからＩＰ電話番号を抽出するＩＰ電話番号抽出手段と、該手段が抽出したＩＰ電話番号を記憶する記憶手段と、を備えることを特徴としている。
【００１４】
【発明の実施の形態】
以下、本発明の第１の実施の形態に係る通信端末装置の一例として、ＩＰ網を通じて電子メールの送信を行うインターネットファクシミリ装置について説明する。なお、後に説明の便宜上、送信側となるインターネットファクシミリ装置を「送信側インターネットファクシミリ装置」、受信側となるインターネットファクシミリ装置を「受信側インターネットファクシミリ装置」という。図１にインターネットファクシミリ装置１の構成例を示す。すなわち、これらインターネットファクシミリ装置１、１Ａは、ＣＰＵ（中央処理装置）２、ＲＡＭ（ランダムアクセスメモリー）３、ＲＯＭ（リードオンリーメモリー）４、コーデック５、読取部６、記録部７、操作部９、及びＬＡＮインターフェース１０を備えたものであって、各部２乃至１０は通信可能にバス１１によって接続されている。
【００１５】
ＣＰＵ２は、所定のプログラムに従って、このインターネットファクシミリ装置１を構成する各部を制御する。ＲＡＭ３は、画データ、各種設定情報、後述するテーブルＴ等を記憶する記憶部として、また、一時的に蓄積される諸データの記憶部として機能する。ＲＯＭ４は、ＣＰＵ２によりこのインターネットファクシミリ装置１の各部の動作が制御されるための各種プログラムを記憶している。
【００１６】
テーブルＴは、図２に示すように、短縮ダイヤル機能を利用する際に指定される短縮番号を格納する「短縮番号」欄、相手の名称を格納する「宛先」欄、相手装置のＩＰ電話番号を格納する「ＩＰ電話番号」欄、相手装置のメールアドレスを格納する「メールアドレス」欄からなり、同一レコードに格納された情報が相互に関連付けて記憶されている。例えば、相互に同一レコードに格納された情報である、短縮番号「００２」、通信相手先名称「ｅｆｇ会社」、ＩＰ電話番号「０５０−１２３４５６」及びメールアドレス「ｅｆｇ＠ｘｘｘ．ｃｏｍ」は、このテーブルＴにおいて相互に関連付けて記憶されている。なお、このテーブルＴの情報の編集、追加、削除は、オペレータによる操作部９からの所定操作によって自由に行うことができるようになっている。
【００１７】
コーデック５は、使用する通信手順に応じた形式にて符号化復号する。例えば、ＳＭＴＰにより送受信する電子メールに添付される画像フォーマットであるＴＩＦＦ（Ｔａｇｇｅｄ  Ｉｍａｇｅ  Ｆｉｌｅ  Ｆｏｒｍａｔ）形式に対応して画データを符号化、復号する。
【００１８】
読取部６は、原稿の画像データを読み取って、白黒２値化した画データ生成する。記録部７は、例えば電子写真方式のものからなり、受信した画データ等を記録紙上に記録する。
【００１９】
操作部９は、このインターネットファクシミリ装置１、１Ａの状態に関する情報、各種画面等を表示するディスプレイ９ａ、ＩＰ電話番号、メールアドレス等の各種情報を入力する入力キー９ｂ等からなり、オペレータによる各種操作はこの操作部９から行われる。
【００２０】
ＬＡＮインターフェース１０は、ＬＡＮ（ローカル・エリア・ネットワーク）１２とのインターフェースであり、インターネットファクシミリ装置１をＬＡＮ１２に通信可能に接続する。ＬＡＮ１２には、ルータ１３が設けられており、インターネットファクシミリ装置１は、ルータ１３を通じてＩＰ網１４における相手装置１５と後述する呼制御プロトコルを利用して直接リアルタイムにデータ通信を行うことができるようになっている。
【００２１】
上記に説明した構成を備えるインターネットファクシミリ装置１は、ＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｃｏｌ）、及びＳＩＰを実装しており、更に、ＩＰ電話番号により指定した相手装置（受信側インターネットファクシミリ装置１Ｂ）とＳＩＰによるコネクション（以下「ＳＩＰコネクション」という。）を確立した上で、ＳＭＴＰにより電子メールを送信する機能を備えている。また、通常の電子メール送受信手段、すなわち、ＳＩＰコネクションを確立した上でＳＭＴＰ手順を実行し直接的に相手と電子メールのやり取りをするのではなく、各々のＳＭＴＰサーバ同士での電子メール転送処理を経て間接的に相手と電子メールの送受信をする手段をも備えている。
【００２２】
図３に、送信側インターネットファクシミリ装置１ＡがＳＩＰを利用して相手装置１５となる受信側インターネットファクシミリ装置１Ｂに対して電子メールを送信する際に形成されるセッションのシーケンス図を示す。送信側インターネットファクシミリ装置１Ａは、同様の構成及びＵＤＰ／ＩＰ、ＳＩＰ、ＳＭＴＰ等を実装した受信側インターネットファクシミリ装置１ＢをＩＰ電話番号により指定する。これに応答して受信側インターネットファクシミリ装置１Ｂは、自装置１Ｂを呼び出す発信元装置である送信側インターネットファクシミリ装置１Ａと呼制御セッションを形成して、ＳＩＰコネクションを確立し、ＳＩＰコネクション上でメディアセッションを形成する。メディアセッションが終了した後に、通信を切断するために再び呼制御セッションを形成する。
【００２３】
ここで各セッションについて説明する。インターネットファクシミリ装置１においてオペレータによりＩＰ電話番号が操作部９から入力され所定送信操作が行われると、送信側インターネットファクシミリ装置１Ａは、ＳＩＰサーバ１７に対し受信側インターネットファクシミリ装置（相手装置）１ＢのＩＰ電話番号を指定した「ＩＮＶＩＴＥ」により相手の呼出を要求する（Ｔ１）。これを受けたＳＩＰサーバ１７は、送信側インターネットファクシミリ装置１Ａから指定されたＩＰ電話番号のＩＰアドレスを、ＩＰ電話番号とＩＰアドレスの対応付け情報を持つロケーションサーバ（不図示）に問い合わせることにより取得し、取得したＩＰアドレスから特定される相手装置１５に対して、同じく「ＩＮＶＩＴＥ」を送出することにより呼び出しを行う。この時ＳＩＰサーバ１７から送信側インターネットファクシミリ装置１Ａに対しては、受信側インターネットファクシミリ装置１Ｂを呼出中であることを示す信号「ＲＩＮＧＩＮＧ」が送出される（Ｒ１）。
【００２４】
ＳＩＰサーバ１７が呼び出した受信側インターネットファクシミリ装置１Ｂが呼出に対して応答すると、ＳＩＰサーバ１７に対して「ＩＮＶＩＴＥ」に対する成功応答コード「２００」を送出する。この成功応答コード「２００」を受けたＳＩＰサーバ１７は、送信側インターネットファクシミリ装置１Ａに対して同じく成功応答コード「２００」を送出する（Ｒ２）。送信側インターネットファクシミリ装置１Ａは、次いで、前記成功応答コードを受け取ったことを示す「ＡＣＫ」をＳＩＰサーバ１７へ送出し（Ｔ２）、これを受けたＳＩＰサーバ１７は、受信側インターネットファクシミリ装置１Ｂに同じく「ＡＣＫ」を送出して、送信側インターネットファクシミリ装置１Ａと受信側インターネットファクシミリ装置１Ｂとの間に、ＳＩＰコネクションを確立し、種々の通信手順の実行を可能とする通信状態を形成する。
【００２５】
確立されたＳＩＰコネクション上では、双方の装置によって様々なメディアセッションを形成することが可能である。例えば図示するように、双方で通信手順（ＳＭＴＰ、ＨＴＴＰ等の通信プロトコル）を実行する前に、送信側インターネットファクシミリ装置１Ａが、受信側インターネットファクシミリ装置１Ｂが対処可能な通信手順の提示を要求する所定コマンドを送信すると（Ｔ３）、受信側インターネットファクシミリ装置１Ｂはこれに応答して自装置１Ｂの対処可能な通信手順についての情報を送信側インターネットファクシミリ装置１Ａに対して提示する処理動作を実行する（Ｒ３）。また、送信側インターネットファクシミリ装置１Ａは、通信手順を開始する前に利用する通信手順を予め受信側インターネットファクシミリ装置１Ｂに対して通知するようになっており（Ｔ４）、受信側インターネットファクシミリ装置１Ｂの受信準備を促した後、通知した通信手順を開始してＳＭＴＰやＨＴＴＰ等により、電子メールやＨＴＭＬファイル等の送信を確立したＳＩＰコネクション上で行う（Ｔ５）。
【００２６】
送信側インターネットファクシミリ装置１Ａは、通信手順を終了した後（Ｔ６）、ＳＩＰコネクションの切断を要求する「ＢＹＥ」をＳＩＰサーバ１７へ送出し（Ｔ７）、これを受けたＳＩＰサーバ１７は受信側インターネットファクシミリ装置１Ｂに「ＢＹＥ」を送出する。そして、ＳＩＰサーバ１７が受信側インターネットファクシミリ装置１Ｂから成功応答コード「２００」を受けると、送信側インターネットファクシミリ装置１Ａに対しても同じく成功応答コード「２００」を送出し（Ｒ４）、一連のセッションを終了する（通信を切断する）。
【００２７】
上記に説明したような呼制御セッション、メディアセッションを確立してデータの送受信を行う送信側インターネットファクシミリ装置１Ａは、呼制御コネクション（ＳＩＰコネクション）が成功したか否かを判断し、該判断結果に基づいて続いて実行する処理を決定する。以下、送信側インターネットファクシミリ装置１Ａ及び受信側インターネットファクシミリ装置１Ｂが実行する通信処理動作について、図４及び図５に示すフローチャートに基づき詳細に説明する。なお、このフローチャートに基づいて説明するインターネットファクシミリ装置１Ａ、１Ｂの動作は、それぞれ、ＲＯＭ４に記憶された制御プログラムに基づいてＣＰＵ２が発行する命令に従って行われる。
【００２８】
送信側インターネットファクシミリ装置１Ａのオペレータによって読取部６に送信すべき原稿がセットされ、操作部９から相手装置のメールアドレス若しくはＩＰ電話番号が指定され、又は短縮ダイヤルによりメールアドレス若しくはＩＰ電話番号が指定され、操作部９のスタートキーが押下されると、送信側インターネットファクシミリ装置１Ａは、その原稿の送信宛先のＩＰ電話番号を有するか否かを判断する（Ｓ１）。具体的には、ＩＰ電話番号が入力指定された場合は送信処理が行われるまでＲＡＭ３の所定領域にそのＩＰ電話番号が保持されるのでＩＰ電話番号を有すると判断し、メールアドレス又は短縮番号により宛先が指定された場合には、テーブルＴにおいて、指定された短縮番号又はメールアドレスにＩＰ電話番号が関連付けて記憶されている場合に、ＩＰ電話番号を有すると判断する。
【００２９】
相手装置のＩＰ電話番号を有すると判断したときは、相手装置とＳＩＰコネクションを確立するための処理動作、つまり前述した呼制御セッション（以下「開始呼制御セッション」という。）を実行する（Ｓ２：Ｔ１、Ｔ２等）。一方、送信側インターネットファクシミリ装置１Ａの前記処理動作に対して、受信側インターネットファクシミリ装置１Ｂも呼制御セッションを形成するための処理動作を実行して（Ｓ５１：Ｒ２）、ＳＩＰサーバ１７によって双方にＳＩＰコネクションが確立される。
【００３０】
送信側インターネットファクシミリ装置１Ａは、ＳＩＰコネクションを確立するための呼制御セッションが形成され、そのセッションが「ＡＣＫ」を送出するまで実行されたときに、ＳＩＰコネクションが確立されたと判断し（Ｓ３：ＹＥＳ）、確立されたＳＩＰコネクション上で、ＳＭＴＰコマンド「ＨＥＬＯ」を送出してＳＭＴＰ接続を相手装置に対して要求する（Ｓ４）。一方、ＳＭＴＰ接続要求を受信側インターネットファクシミリ装置１Ｂが受ければ、該装置１Ｂは、送信側インターネットファクシミリ装置１ＡのＳＭＴＰ接続要求に対して、ＳＭＴＰ応答コード「２５０」を返信する（Ｓ５２）。
【００３１】
送信側インターネットファクシミリ装置１Ａが受信側インターネットファクシミリ装置１ＢからＳＭＴＰ応答コード「２５０」を受けた場合は、相手装置１ＢへのＳＭＴＰ送信が可能であると判断し、同ＳＭＴＰ応答コードを受けなかった場合は、相手装置１ＢへのＳＭＴＰ送信ができないと判断する（Ｓ５）。相手装置１ＢへのＳＭＴＰ送信が可能であると判断した場合は、原稿の画データが添付され、自装置１のＩＰ電話番号が電子メールの所定個所（例えばメールヘッダの「Ｆｒｏｍ：」欄）に所定形式（例えば「Ｆｒｏｍ：ＩＰＴＥＬＮＵＭ−０５０９９９９９９」等）にて記載された電子メールＭ１を生成し、これをＳＭＴＰ手順により受信側インターネットファクシミリ装置１に対して送信する（Ｓ６）。相手装置１ＢへのＳＭＴＰ送信ができないと判断した場合は、前述したＳＩＰコネクションを切断するための呼制御セッション（前記Ｔ７乃至前記Ｒ４；以下「終了呼制御セッション」という。）を相手装置１Ｂとの間で形成してＳＩＰコネクションを切断する（Ｓ７）。
【００３２】
一方、受信側インターネットファクシミリ装置１Ｂは、前記Ｓ６で、ＳＭＴＰ手順によって、送信側インターネットファクシミリ装置１Ａから送出された電子メールＭ１を受信し、電子メールＭ１の所定個所に所定形式にて記載されているＩＰ電話番号を抽出して、抽出したＩＰ電話番号をインターネットファクシミリ通信の発信元装置を特定するための発信元特定情報と関連付けて自装置１ＢのテーブルＴの「ＩＰ電話番号」欄に格納する。また、送信側インターネットファクシミリ装置１Ａのメールアドレスも同装置１ＡのＩＰ電話番号に関連付けて、「メールアドレス」欄に格納（記憶）される。ここで送信側インターネットファクシミリ装置１Ａのメールアドレスは、電子メールＭ１の受信時に取得されるＳＭＴＰコマンド「ＭＡＩＬ  ＦＲＯＭ：」に指定されたもの又は電子メールのメールヘッダの「Ｆｒｏｍ：」欄に指定されたものが格納されるようになっている（Ｓ５３）。
【００３３】
次いで、送信側インターネットファクシミリ装置１Ａは、ＳＭＴＰコマンド「ＱＵＩＴ」をＳＭＴＰ切断要求として送出し、受信側インターネットファクシミリ装置１Ｂがこれに応答して応答コード「２２１」を送出するとＳＭＴＰセッションが終了し、さらに続けて双方のインターネットファクシミリ装置１Ａ、１Ｂは、前述した終了呼制御セッションを形成してＳＩＰコネクションをも切断する（Ｓ８、Ｓ５４）。
【００３４】
一方、送信側インターネットファクシミリ装置１Ａが、前記Ｓ１において相手装置のＩＰ電話番号を有していないと判断した場合（Ｓ１：ＮＯ）、前記Ｓ３においてＳＩＰコネクションが確立されなかったと判断した場合（Ｓ３：ＮＯ）、及び前記Ｓ７のＳＩＰコネクションの切断処理を行った場合は、自装置１ＡのＩＰ電話番号が電子メールの所定個所（例えばメールヘッダの「Ｆｒｏｍ：」欄）に所定形式（例えば「Ｆｒｏｍ：ＩＰＴＥＬＮＵＭ−０５０９９９９９９」等）にて記載された電子メールＭ１を生成する。そして生成した電子メールＭ１を前記Ｓ１において発呼した相手装置のＩＰ電話番号に関連付けてテーブルＴの「メールアドレス」欄に記憶している相手装置のメールアドレス宛てに（前記Ｓ１において相手装置のＩＰ電話番号を有しないと判断した場合にあっては、オペレータにより送信宛先として指定された相手装置のメールアドレス宛てに）、通常のＳＭＴＰ手順にて送信する（Ｓ９）。なお、前記発呼した相手装置のＩＰ電話番号としては、オペレータの送信操作により操作部９から入力されたものを採用するようにしてもよい。
【００３５】
受信側インターネットファクシミリ装置１Ｂは、前記Ｓ９で、通常のＳＭＴＰ手順によって、送信側インターネットファクシミリ装置１Ａから送出された電子メールＭ１を受信し、電子メールＭ１の所定個所に所定形式にて記載されているＩＰ電話番号を抽出して、抽出したＩＰ電話番号をインターネットファクシミリ通信の発信元装置を特定するための発信元特定情報と関連付けて自装置１ＢのテーブルＴの「ＩＰ電話番号」欄に格納する。また、送信側インターネットファクシミリ装置１Ａのメールアドレスも同装置１ＡのＩＰ電話番号に関連付けて、「メールアドレス」欄に格納（記憶）される。ここで送信側インターネットファクシミリ装置１Ａのメールアドレスは、電子メールＭ１の受信時に取得されるＳＭＴＰコマンド「ＭＡＩＬ  ＦＲＯＭ：」に指定されたもの又は電子メールのメールヘッダの「Ｆｒｏｍ：」欄に指定されたものが格納されるようになっている（Ｓ６１）。
【００３６】
受信側インターネットファクシミリ装置１Ｂは、前記Ｓ５４又は前記Ｓ６１の処理を実行した後、自装置１ＢのＩＰ電話番号が電子メールの所定個所に所定形式にて記載された電子メールＭ２を生成する。そして、発信元特定情報と関連付けられてテーブルＴに記憶されている送信側インターネットファクシミリ装置１ＡのＩＰ電話番号を指定して送信側インターネットファクシミリ装置１Ａと開始呼制御セッションを形成してＳＩＰコネクションを確立し、そのコネクション上でＳＭＴＰ手順を実行する。そして、該ＳＭＴＰ手順において、前記電子メールＭ１についての受領確認の電子メール（ＤＳＮ又はＭＤＮ）として、生成した前記電子メールＭ２を送信し、終了呼制御セッションを形成して双方間のＳＩＰコネクションが切断される（Ｓ１０、Ｓ５５（又はＳ６２））。
【００３７】
前記電子メールＭ２を受信した送信側インターネットファクシミリ装置１Ａは、電子メールＭ２の所定個所に所定形式にて記載された受信側インターネットファクシミリ装置１ＢのＩＰ電話番号を抽出し、抽出したＩＰ電話番号を、自装置１ＡのテーブルＴの「メールアドレス」欄に格納されている受信側インターネットファクシミリ装置１Ｂのメールアドレスに関連付けて「ＩＰ電話番号」欄に格納（記憶）する（Ｓ１１）。
【００３８】
このように、上記インターネットファクシミリ装置１Ａ、１Ｂによれば、送信側インターネットファクシミリ装置１Ａが受信側インターネットファクシミリ装置１ＢのＩＰ電話番号を把握していない場合であっても、メールアドレスを把握している場合やオペレータにより受信側インターネットファクシミリ装置１Ｂのメールアドレスが入力指定された場合には、１回メール送信を行えば、次回から自動的にＩＰ電話番号により電子メールを送信することができるようになる。
【００３９】
以下、本発明の第２の実施の形態に係るインターネットファクシミリ装置１８について説明する。第２の実施の形態に係るインターネットファクシミリ装置１８は、第１の実施の形態に係るインターネットファクシミリ装置１と同様の構成及び通信機能を備えるが、主にＳＩＰコネクションを確立した後に実行する処理動作が相違する。また、ＤＳＮ（Ｄｅｌｉｖｅｒｙ  Ｓｔａｔｕｓ  Ｎｏｔｉｆｉｃａｔｉｏｎ：ＲＦＣ１８９１等）やＭＤＮ（Ｍｅｓｓａｇｅ  Ｄｉｓｐｏｓｉｔｉｏｎ  Ｎｏｔｉｆｉｃａｔｉｏｎ：ＲＦＣ２２９８等）を利用して、送信側が送信結果や受信側の受信能力情報等を取得する、いわゆるフルモードインターネットファクシミリ通信機能をも備える。以下、図６乃至図８に示すフローチャートに基づいて詳細に説明する。なお、以下に、送信側装置１８を送信側インターネットファクシミリ装置１８Ａといい、ＩＴＵ−Ｔ勧告Ｔ．３７の拡張ＳＭＴＰに対処可能な受信側装置１８を第１受信側インターネットファクシミリ装置１８Ｂといい、拡張ＳＭＴＰには対処できないがＳＭＴＰに対処可能な受信側装置１８を第２受信側インターネットファクシミリ装置１８Ｃという。
【００４０】
送信側インターネットファクシミリ装置１８Ａのオペレータによって読取部６に送信すべき原稿がセットされ、操作部９から相手装置のメールアドレス若しくはＩＰ電話番号が指定され、又は短縮ダイヤルによりメールアドレス若しくはＩＰ電話番号が指定され、操作部９のスタートキーが押下されると、送信側インターネットファクシミリ装置１８Ａは、その原稿の送信宛先のＩＰ電話番号を有するか否かを判断する（Ｓ１０１）。該判断は、第１の実施の形態に係るインターネットファクシミリ装置１Ａが前記Ｓ１において行う判断と同様である。
【００４１】
送信側インターネットファクシミリ装置１８Ａが相手装置のＩＰ電話番号を有すると判断したときは、相手装置のＩＰ電話番号を指定して相手装置と相互に開始呼制御セッションを形成する（Ｓ１０２、Ｓ１５１）。このとき送信側インターネットファクシミリ装置１８Ａは、「ＡＣＫ」を送出するまで開始呼制御セッションが実行されたときに、ＳＩＰコネクションが確立されたと判断する（Ｓ１０３：ＹＥＳ）。
【００４２】
次いで、双方装置の間で確立されたＳＩＰコネクション上で、送信側インターネットファクシミリ装置１８Ａは、相手装置が拡張ＳＭＴＰに対処可能か否か（相手装置が第１受信側インターネットファクシミリ装置１８Ｂであるか否か）を確認するために、ＳＭＴＰ接続要求として所定のＳＭＴＰコマンド（例えば「ＥＨＬＯ」）を送出する（Ｓ１０４）。これに対し、相手装置が第１受信側インターネットファクシミリ装置１８Ｂである場合は、前記所定のＳＭＴＰコマンドに対す応答として、拡張ＳＭＴＰに対処可能であることを示す応答コード「２５０」を返信する（Ｓ１５２）。
【００４３】
そして送信側インターネットファクシミリ装置１８Ａは、第１受信側インターネットファクシミリ装置１８Ｂから前記応答コード「２５０」を受信したときに、相手装置が拡張ＳＭＴＰに対処可能な装置であると判断する（Ｓ１０５：拡張ＳＭＴＰ）。
【００４４】
相手から応答コード「２５０」以外の応答が帰ってきた場合、つまり、相手装置が第１受信側インターネットファクシミリ装置１８Ｂではない場合には、送信側インターネットファクシミリ装置１８Ａは、更にＳＭＴＰ接続要求としてＳＭＴＰコマンド「ＨＥＬＯ」を送出する（Ｓ１０４）。これに対し、相手装置がＳＭＴＰに対処可能な装置である場合（第２受信側インターネットファクシミリ装置１８Ｃである場合）は、ＳＭＴＰ接続要求に対する応答として応答コード「２５０」を送信側インターネットファクシミリ装置１８Ａに返信する（Ｓ１５２）。
【００４５】
そして送信側インターネットファクシミリ装置１８Ａは、第２受信側インターネットファクシミリ装置１８Ｃから応答コード「２５０」の返信を受信したときに、相手装置がＳＭＴＰに対処可能な装置であると判断する（Ｓ１０５：ＳＭＴＰ）。
【００４６】
一方、応答コード「２５０」の返信が無かった場合は、送信側インターネットファクシミリ装置１８Ａは、相手装置がＳＩＰコネクション上でのＳＭＴＰに対処不可能、つまりＳＩＰコネクション上でのＳＭＴＰ接続に失敗したと判断し（Ｓ１０５：接続失敗）、相手装置との間で終了呼制御セッションを形成して確立されたＳＩＰコネクションを切断する（Ｓ１０６）。そして、前記Ｓ１０１において相手装置のＩＰ電話番号を有していないと判断した場合（Ｓ１０１：ＮＯ）、前記Ｓ１０３においてＳＩＰコネクションが確立されなかったと判断した場合（Ｓ１０３：ＮＯ）、又は前記Ｓ１０６のＳＩＰコネクションの切断処理を行った場合に、テーブルＴに格納されている相手装置のＩＰ電話番号（前記Ｓ１０１において発呼したＩＰ電話番号）に関連付けて記憶されているメールアドレスに対し（前記Ｓ１０１において相手装置のＩＰ電話番号を有しないと判断した場合にあっては、オペレータにより送信宛先として指定された相手装置のメールアドレスに対し）、通常のＳＭＴＰによって、相手装置へ届けるべき電子メールをフルモードインターネットファクシミリ通信にて送信する（Ｓ１０７）。なお、相手装置がフルモードインターネットファクシミリ通信に対応しない場合、つまり、ＭＤＮ等が返信されない場合や返信されたＭＤＮに相手の受信能力情報等が記載されていない場合は、シンプルモードとなる。
【００４７】
つぎに、前記Ｓ１０５において送信側インターネットファクシミリ装置１８Ａが、相手装置が第１受信側インターネットファクシミリ装置（拡張ＳＭＴＰに対処可能な装置）１８Ｂであると判断した場合に、双方の装置１８Ａ、１８Ｂで実行される処理動作について説明する。図７のフローチャートに示すように、送信側インターネットファクシミリ装置１８Ａは、第１受信側インターネットファクシミリ装置１８Ｂとの間で形成されるＳＭＴＰセッションにおいて、ＳＭＴＰコマンド「ＭＡＩＬ  ＦＲＯＭ：」に自装置１８ＡのＩＰ電話番号を含める（Ｓ１０８）。一方、受信側インターネットファクシミリ装置１８Ｂは「ＭＡＩＬ  ＦＲＯＭ：」に記載された送信側インターネットファクシミリ装置１ＡのＩＰ電話番号と電子メールヘッダの「ｆｒｏｍ：」欄等から取得される同装置１Ａのメールアドレスとを相互に関連付けてテーブルＴに格納（記憶）する（Ｓ１５３）。そして最後に、終了呼制御セッションが双方間で形成されてＳＭＴＰ及びＳＩＰコネクションが切断される（Ｓ１０９、Ｓ１５４）。
【００４８】
つぎに、前記Ｓ１０５において送信側インターネットファクシミリ装置１８Ａが、相手装置が第２受信側インターネットファクシミリ装置（ＳＭＴＰに対処可能な装置）１８Ｃであると判断した場合に、双方の装置１８Ａ、１８Ｃで実行される処理動作について説明する。図８のフローチャートに示すように、前記Ｓ１０４の処理動作として送信側インターネットファクシミリ装置１８Ａから送出されたＳＭＴＰコマンド「ＨＥＬＯ」に対して第２受信側インターネットファクシミリ装置１８Ｃが応答コード「２５０」を返信した場合（Ｓ１５２）、双方装置１８Ａ、１８Ｃの間で、以下に説明する一連の電子メールのやり取りを実行する。
【００４９】
すなわち、送信側インターネットファクシミリ装置１８Ａは、自装置のＩＰ電話番号を電子メールの所定個所に所定形式で記載した電子メールＭ３を生成して第２受信側インターネットファクシミリ装置１８Ｃに対して送信する。これに対し第２受信側インターネットファクシミリ装置１８Ｃは、電子メールＭ３の所定個所に所定形式にて記載されているＩＰ電話番号を抽出して、同電子メールＭ３の発信元特定情報と関連付けて自装置１８ＢのテーブルＴの「ＩＰ電話番号」欄に格納（記憶）する。また、発信元装置である送信側インターネットファクシミリ装置１８Ａのメールアドレスをも関連付けてテーブルＴの「メールアドレス」欄に格納する。なお、送信側インターネットファクシミリ装置１８Ａのメールアドレスとしては、電子メールＭ３の受信時に取得されるＳＭＴＰコマンド「ＭＡＩＬ  ＦＲＯＭ：」に指定されたもの又は電子メールのメールヘッダの「Ｆｒｏｍ：」欄に指定されたものが格納されるようになっている（Ｓ１１０、Ｓ１５５）。次いで、双方の装置１８Ａ、１８Ｃは、終了呼制御セッションを形成してＳＭＴＰ、ＳＩＰコネクションを切断する（Ｓ１１１、Ｓ１５６）。
【００５０】
次に、第２受信側インターネットファクシミリ装置１８Ｃが送信側、送信側インターネットファクシミリ装置１８Ａが受信側となって、双方間で開始呼制御セッションを形成し、ＳＩＰコネクション上でＭＤＮの送信が行われる（Ｓ１１２、Ｓ１５７）。ここで実行される双方の装置の詳細な処理動作を図９のフローチャートに示す。すなわち、第２受信側インターネットファクシミリ装置１８Ｃは、送信側インターネットファクシミリ装置１８ＡのＩＰ電話番号（発信元特定情報と関連付けてテーブルＴに格納されているＩＰ電話番号）を指定して発呼を行い、双方装置１８Ａ、１８Ｃの間で開始呼制御セッションが形成され（Ｓ２０１、Ｓ２５１）、第２受信側インターネットファクシミリ装置１８Ｃが送信側インターネットファクシミリ装置１８Ａに対して、ＳＭＴＰ接続を要求してＳＭＴＰセッションが開始される（Ｓ２０２、Ｓ２５２）。そしてＳＭＴＰセッションの中で第２受信側インターネットファクシミリ装置１Ｃは、自装置１８Ｃの受信能力等が含まれる電子メール（ＭＮＤ）を送信側インターネットファクシミリ装置１８Ａに対して送信し、送信側インターネットファクシミリ装置１８Ａはこれを受信する（Ｓ２０３、Ｓ２５３）。そして最後に、双方の装置１８Ａ、１８Ｃは、終了呼制御セッションを形成してＳＭＴＰ、ＳＩＰコネクションを切断する（Ｓ２０４、Ｓ２５４）。
【００５１】
つぎに、送信側インターネットファクシミリ装置１８Ａは、相手の受信能力情報に応じたフォーマットの画データを保持しているオリジナル画データ（自身の最高読み取り能力によって読み取ったフォーマットの画データ）から生成しこれを添付した電子メールを生成する。そして、送信側インターネットファクシミリ装置１８Ａは、前記Ｓ１０２、Ｓ１０４の処理動作を実行する一方、第２受信側インターネットファクシミリ装置１８Ｃは前記Ｓ１５１、Ｓ１５２の処理動作を実行することにより、ＳＩＰコネクションを確立し、その上でＳＭＴＰセッションを開始して、生成した前記電子メールを送信する。そして、双方の装置１８Ａ、１８Ｃは、終了呼制御セッションを形成してＳＭＴＰ、ＳＩＰコネクションを切断する（Ｓ１１３、Ｓ１５８）。
【００５２】
最後に、送信側インターネットファクシミリ装置１８Ａと第２受信側インターネットファクシミリ装置１Ｃは、前記Ｓ２０１、Ｓ２０２、Ｓ２５１、Ｓ２５２の処理動作と同様の処理動作を相互に実行してＳＩＰコネクションを確立するとともに、ＳＭＴＰセッションを開始し、その上で、第２受信側インターネットファクシミリ装置１Ｃは、受領確認の電子メールの送信を行う。そして送信側インターネットファクシミリ装置１８Ａがこれを受信すると、再び双方の装置１８Ａ、１８Ｃは、終了呼制御セッションを形成してＳＭＴＰ、ＳＩＰコネクションを切断して一連の動作を終了する（Ｓ１１４、Ｓ１５９）。
【００５３】
【発明の効果】
請求項１記載の通信端末装置によれば、呼制御プロトコルによるコネクションを確立できるかどうかを判断した上でその後の処理が決定されるので、所定の呼制御プロトコルに対応していない相手先へＩＰ電話を掛けたような場合でも適切な処理を行うことが可能である。
【００５４】
請求項２記載の通信端末装置によれば、ＩＰ電話番号により指定した相手装置と所定の呼制御プロトコルによってコネクションを確立できない場合であっても、通常の電子メール送信によって画データ等のデータを送信することが可能である。
【００５５】
請求項３記載の通信端末装置によれば、ＩＰ電話番号により指定した相手装置と所定の呼制御プロトコルによってコネクションを確立できない場合であっても、記憶手段が記憶しているメールアドレスへ通常の電子メール送信によって自動的に画データ等のデータが送信される。このため、ユーザにとっては、相手装置とのＩＰ電話通信が成功したか否かの確認を行う手間が省かれるという利点がある。
【００５６】
請求項４記載の通信端末装置によれば、相手装置に自装置のＩＰ電話番号を通知することが可能となる。
【００５７】
請求項５記載の通信端末装置によれば、自装置を呼び出す発信元装置から直接且つリアルタイムな電子メールの受信処理を行うことができる。
【００５８】
請求項６記載の通信端末装置によれば、例えば請求項４記載の通信端末装置を送信側装置として、ＩＰ電話通信上でのフルモードインターネットファクシミリ通信を実現することが可能となる。
【００５９】
請求項７記載の通信端末装置によれば、受信した電子メールに発信元装置のＩＰ電話番号が含まれる場合に、その発信元装置に対し、ＩＰ電話通信を利用した電子メールの送信を行うことが可能となる。
【図面の簡単な説明】
【図１】本発明の実施の形態に係るインターネットファクシミリ装置（通信端末装置）の構成例を示した図である。
【図２】テーブルの一例を示した図である。
【図３】本発明の実施の形態に係るインターネットファクシミリ装置（通信端末装置）においてＳＩＰ（呼制御プロトコル）により形成されるセッションの一例を示したシーケンス図である。
【図４】本発明の第１の実施の形態に係るインターネットファクシミリ装置（通信端末装置）において電子メールが送信される際に実行される処理動作のフローチャートである。
【図５】本発明の第１の実施の形態に係るインターネットファクシミリ装置（通信端末装置）において電子メールが送信される際に実行される処理動作のフローチャートである。
【図６】本発明の第２の実施の形態に係るインターネットファクシミリ装置（通信端末装置）において電子メールが送信される際に実行される処理動作のフローチャートである。
【図７】本発明の第２の実施の形態に係るインターネットファクシミリ装置（通信端末装置）において電子メールが送信される際に実行される処理動作のフローチャートであって、受信側装置が第１の受信側インターネットファクシミリ装置である場合のフローチャートである。
【図８】本発明の第２の実施の形態に係るインターネットファクシミリ装置（通信端末装置）において電子メールが送信される際に実行される処理動作のフローチャートであって、受信側装置が２受信側インターネットファクシミリ装置である場合のフローチャートである。
【図９】図８のフローチャートの一部の処理動作を詳細に示したフローチャートである。
【符号の説明】
Ｔ  テーブル（記憶手段）
Ｍ１、Ｍ３  電子メール
Ｍ２  受領確認の電子メール
１、１８  インターネットファクシミリ装置（通信端末装置）
１Ａ、１８Ａ  送信側インターネットファクシミリ装置（通信端末装置）
１Ｂ、１８Ｂ  受信側インターネットファクシミリ装置（通信端末装置）
２  ＣＰＵ
３  ＲＡＭ
４  ＲＯＭ
【図１】
2004221945.tif 000003
【図２】
2004221945.tif 000004
【図３】
2004221945.tif 000005
【図４】
2004221945.tif 000006
【図５】
2004221945.tif 000007
【図６】
2004221945.tif 000008
【図７】
2004221945.tif 000009
【図８】
2004221945.tif 000010
【図９】
2004221945.tif 000011